(57)【特許請求の範囲】
【請求項１】
略長方形状の底部に連続して立ち上がる側方の側壁部および後方の傾斜側壁部を有する除雪体を設けるとともに、この除雪体に柄を設けてなる雪かきにおいて、除雪体の一方の側壁に係合連結体を設けるとともに該係合連結体を除雪体の側壁上面に設けた所定長のＬ形板体とし、対向する側壁上面に上記係合連結体と係合着脱可能なる係合連結体を設けるとともに該係合連結体を上突出のＬ形小板体とこの小板体と所定距離を有して直立する小板体から形成して、各係合連結体の係合にて、係合連結体の相互係合時における水平方向および垂直方向への相互離間防止機能を有するよう形成することにて、隣り合う除雪具相互の着脱と係合を可能とするよう構成したことを特徴とする着脱型連結雪かき。
【請求項２】
略長方形状の底部に連続して立ち上がる側方の側壁部および後方の傾斜側壁部を有する除雪体を設けるとともに、この除雪体に柄を設けてなる雪かきにおいて、除雪体の一方の側壁上面に係合連結体を設けるとともに該係合連結体を除雪体の側壁上面に設けた所定長のＬ形板体前端に係合溝を設けたものとし、対向する側壁上面に上記係合連結体と係合着脱可能なる係合連結体を設けるとともに該係合連結体を側壁上面に設けたスリットとして、各係合連結体の係合にて、係合連結体の相互係合時における水平方向および垂直方向への相互離間防止機能を有するよう形成することにて、隣り合う除雪具相互の着脱と係合を可能とするよう構成したことを特徴とする着脱型連結雪かき。
【請求項３】
略長方形状の底部に連続して立ち上がる側方の側壁部および後方の傾斜側壁部を有する除雪体を設けるとともに、この除雪体に柄を設けてなる雪かきにおいて、除雪体の一方の側壁上面に係合連結体を設けるとともに該係合連結体をスリットを有する突出小平板とし、対向する側壁上面に上記係合連結体と係合着脱可能なる係合連結体を設けるとともに該係合連結体を切除部を有する上突出小板体として、各係合連結体の係合にて、係合連結体の相互係合時における水平方向および垂直方向への相互離間防止機能を有するよう形成することにて、隣り合う除雪具相互の着脱と係合を可能とするよう構成したことを特徴とする着脱型連結雪かき。
【発明の詳細な説明】
【技術分野】
【０００１】  この発明は、必要に応じて２個の同形雪かきを相互連結して除雪作業を行うことのできる雪かきに関する。
【背景技術】
【０００２】  従来より、多様な除雪具が利用されているが、本発明にて示すように、同形の雪かきを相互連結して用いることのできる雪かきは見当たらない。
【発明の概要】
【発明が解決しようとする課題】
【０００３】  降雪地域において除雪用具は必須である。この除雪用具は，スコップ、雪かき、スノーダンプ，スノープッシャーなどがよく利用されており、以下のような特徴がある。
（ａ）スコップ
古くより利用されており、硬く締まった雪にも対応できるが、一度に処理できる雪量は多くない。金属製のものが多い。
（ｂ）雪かき
スコップより柄が長いものが多く、比較的軽い新雪の除雪に適している。合成樹脂製であり、スコップほどの強度を有しないので、硬い雪や締まった雪には適さない。また、一度に大量の除雪ができない。
（ｃ）スノーダンプ
他の除雪具に比べ、雪を入れるバケットサイズが大きく、一度に比較的多くの除雪ができる。しかし、除雪時のバケット下面と雪路面との間の関係で１〜２センチメートルほどの雪が残り、雪の抵抗圧力が大きいため、腕力、脚力、背筋力が必要で，女性や高齢者向きではない。
（ｄ）スノープッシャー
平面に積もった雪を押して除雪するもので、抵抗が比較的少ない。しかし、凍った雪には不向きであり、また雪を跳ね上げるのには適さず、凹凸面の除雪には不向きである。
以上の各除雪具は，ユーザーが適宜に選択して使用しているが、各々一長一短がある。
駐車場など平坦広面積の除雪においては、降雪直後の除雪が必要なことが多いが、これに適した扱いやすい除雪具が望まれているが、今だ見当たらないのが現状である。
本発明は以上に鑑み、従来の除雪手段に代えて新規な除雪手段を提供するものであって、平坦広面積の除雪にも対応できる有用なる用具を創出するものである。
【課題を解決するための手段】
【０００４】  課題を解決する手段として本発明は以下の構成とした。
すなわち、その側方および後方に側壁を有する雪をすくう部分としての除雪体を設けるとともに、この除雪体に柄を設けてなる雪かきにおいて、除雪体の一方の側壁上面に係合連結体を設け、この側壁と対向する他方の側壁上面に、上記係合連結体と係合着脱可能なる係合連結体を設けることにより、隣り合う雪かき相互の着脱を可能とするよう構成する。本発明は以上の構成よりなる着脱型連結雪かきである。
【発明の効果】
【０００５】  本発明は以下の効果を有する。
１．スノーダンプやスノープッシャーのように平滑雪路面に積もった雪を押して除雪することができ、かつ、２個の同形雪かきを連結して使用することができるので、一人で幅広い雪路面の除雪を能率よく行うことができる。
２．雪かきは相互に着脱自在であるので、分離して一般の雪かきとしても利用することができる。
３．係合連結体相互の係合による着脱方式のため、その着脱を簡単に行うことができる。
４．雪路面上に雪かきを置いて除雪する方式のため、雪路面に対する雪かき底面の角度が平行に近くなるため、他の除雪具よりも滑らせやすく、雪を載せる除雪体部分も浅いので女性や高齢者でも容易に扱うことができる。
【図面の簡単な説明】
【０００６】
【図１】  本発明の斜視図（一部略）
【図２】  本発明の係合説明図
【図３】  本発明の係合説明図
【図４】  本発明の他例斜視図（一部略）
【図５】  本発明の他例の係合説明図
【図６】  本発明の他例の係合説明図
【図７】  本発明の他例の斜視図（一部略）
【図８】  本発明の他例の係合説明図
【図９】  本発明の他例の係合説明図
【図１０】  本発明の他例の斜視図（一部略）
【図１１】  本発明の他例の係合説明図
【図１２】  本発明の他例の斜視図（一部略）
【図１３】  本発明の他例の係合説明図
【図１４】  本発明の変化例の係合説明図
【図１５】  本発明の使用状態図
【発明を実施するための最良の形態】
【０００７】  以下、本発明の実施形態について説明する。
図において、１は除雪体である。この除雪体は略長方形状の底部に連続して立ち上がる側壁部２を有しており、この側壁部は底部前部と後部を除く二方に形成される、側面視三角形状部分である。前部と反対側は傾斜側壁部３として形成され、丸棒状の柄４が傾斜側壁面に直交して固定される。以上において、除雪体は合成樹脂製、柄は木製である。
５は係合連結体Ａである。この係合連結体Ａは、正面視Ｌ形の所定長板状部分であって、前記除雪体の一方の側壁部の中程上面に一体に形成される。６は係合連結体Ｂである。
この係合連結体Ｂは前記の係合連結体Ａと対向する側壁部上面に側壁部と一体に設けられる小板状部分であって、この側壁部上面よりまず鈍角斜方後方に突出し、次に側壁部上面と平行に突出する部分が連続的に形成された舌片状部分である。７は係合連結体Ｃであり、前記係合連結体Ｂと所定距離を持って側壁上面に一体に形成される部分である。
この係合連結体Ｃは直立する小板状体であって、係合連結体Ｂとの距離は、前記の係合連結体Ａの長さよりやや長く設けられる。また、補強のためのリブ８が一体に形成される。【０００８】  本発明は、同一物を２個組み合わせて使用するものである。この組み合わせ方法は以下の通りである。まず、本発明品を２個、除雪体が同方向に近接して位置するように起き、片方の除雪体を持ち上げて、係合連結体Ａを係合連結体ＢとＣに係合させる。
すなわち、除雪体を傾けて係合連結体Ａの先端側を斜めにして係合連結体Ｂに滑り込ませ、二つの除雪体の上下を平行にする。すると係合連結体Ａの後端は係合連結体Ｃにきわめて近接して位置し、双方の除雪体は係合にて同一方向にそろうこととなる。
この状態において、双方の除雪体は平行に隣り合わせとなり、係合連結体Ａは係合連結体ＢとＣの間にて前後にスライド不可に位置するとともに、係合連結体Ｂとその直下の側壁上面との間隙には係合連結体Ａの先端側が位置するために、このままの状態での除雪体相互の上下離間も阻止される。従って、双方の除雪体は略一体化するので、一緒に除雪機能を発揮することができて、一度により幅広い領域を除雪することができる。【０００９】  図４〜図１３は本発明の他例を示すものである。図において、１０は係合連結体Ｄを示し、初例の係合連結体Ａに類似の構成であるが、その前後に係合溝１１を設けたものである。他方の側壁上面にはスリット１２が形成され、このスリットに係合連結体Ｄが挿入係合される仕組みであり、係合溝はスリットにはまりこんでその位置が安定し定まるものである。以上が本発明の第２例である。
図７〜図９は本発明の第３例を示すものである。２０は除雪体側壁中程上面に設けられる小平板状の係合連結体Ｅで、スリット２１を有している。２２は係合連結体Ｆを示し、略直方体形状の突出部分で、その前部下方には切除部２３が形成されている。
この双方の連結体は図９のごとくはまりこみ、スリットに切除部が当接することにて不用意な脱落が阻止される。
図１０〜図１１は本発明の第４例を示すものである。３０は係合連結体Ｇを示し、除雪体の側壁側面に突設される小平板状部分で、その後端は一部切除されて小舌片状部分３１となっている。３２は除雪体の他の側壁側面に設けられるスリットである。
係合連結体Ｇはスリット３２内に挿入係止されて、双方の除雪体が係合関係となる。
また、小舌片状部分はスリットの内側に入り込んで、相互脱落が阻止される。
図１２〜図１３は、本発明の第５例を示すものである。４０は前例に類似の係合連結体Ｈであるが、切除部による舌片部分４１は前方に位置している。４２は側壁上面に形成される段部状凹部で、係合連結体Ｈよりやや広い底面積を有しており、この凹部の前部には切除空隙４３が位置し、係合時には前記の舌片部分４１がこの切除空隙４３内に収まって脱落が阻止される構成である。【００１０】  以上、本発明について記したが、本発明は２個の同形除雪具を着脱自在として、必要に応じてこの除雪具を平行連結して除雪作業を行うことができるので、一度に幅広い面積の除雪が可能なところにその特徴を有するものである。従来はこのような用具がないため、不便さを感じながらの除雪であったが、本発明にてこれが解決するものとなったのである。
なお、記述例では係合連結体を除雪体との一体形成として表現したが、図１４にて示すように、他物品として除雪体に螺着固定する方式としてもよい。既例は実施の一表現であって、近似の他の構成としてもよい。
以上のごとく、本発明にて除雪に対する新規かつ有用なる手段を得ることができる。
【符号の説明】
【００１１】１    除雪体
２    側壁部
３    傾斜側壁部
４    柄
５    係合連結体Ａ
６    係合連結体Ｂ
７    係合連結体Ｃ
１０  係合連結体Ｄ
１１  係合溝
２０  係合連結体Ｅ
２１  スリット
２２  係合連結体Ｆ
２３  切除部
３０  係合連結体Ｇ
３１  小舌片状部分
３２  スリット
４０  係合連結体Ｈ
４１  舌片部分
４２  段部状凹部
４３  切除空隙
【図１】
0005934876.tif 000002
【図２】
0005934876.tif 000003
【図３】
0005934876.tif 000004
【図４】
0005934876.tif 000005
【図５】
0005934876.tif 000006
【図６】
0005934876.tif 000007
【図７】
0005934876.tif 000008
【図８】
0005934876.tif 000009
【図９】
0005934876.tif 000010
【図１０】
0005934876.tif 000011
【図１１】
0005934876.tif 000012
【図１２】
0005934876.tif 000013
【図１３】
0005934876.tif 000014
【図１４】
0005934876.tif 000015
【図１５】
0005934876.tif 000016